(57)【要約】      （修正有）【課題】ヘルメット本体に対する内装体の取り付け・取り外し方がわかりやすく、着脱操作を小さな力で簡便に実行できるとともに、装着時における衝撃に対し、ヘルメットの内装体が不用意に外れることがない構造にする。【解決手段】ヘルメット本体の縁部付近内面に、互いに距離を隔て、かつ互いに向かい合う側に差し込み溝を設けてヘルメット本体の縁側から奥側に向けて形成された１対のブラケット部と、ブラケット部間に配設される先端部と内装体を取り付けた基端部と先端部の左右両側に突設させて形成された内側へ撓み可能な１対の弾性係止爪部材とを有し、１対のブラケット部の差し込み溝に１対の弾性係止爪部材を内側へ撓ませてヘルメット本体の縁側から奥側に向けて差し込み可能な差し込み片と、差し込み溝の溝内底面に設けられ、差し込み溝の所定位置まで差し込まれた弾性係止爪部材の爪部を落ち込ませて差し込み片の抜け止めを行う係合孔とを備える。【選択図】図４
2009068151.tif 000002
【特許請求の範囲】
【請求項１】
ヘルメット本体の内側にハンモック等の内装体を取り付けるヘルメットの内装体掛け具において、
前記ヘルメット本体の縁部付近内面に、互いに距離を隔て、かつ互いに向かい合う側に差し込み溝を設けて前記ヘルメット本体の縁側から奥側に向けて形成された１対のブラケット部と、
前記ブラケット部間に配設される先端部と前記内装体を取り付けた基端部と前記先端部の左右両側に突設させて形成された１対の弾性係止爪部材とを有し、前記１対の弾性係止爪部材を内側へ撓ませて前記１対のブラケット部の差し込み溝に前記ヘルメット本体の縁側から奥側に向けて差し込み可能な差し込み片と、
前記差し込み溝内の底面に設けられ、該差し込み溝の所定位置まで差し込まれた前記弾性係止爪部材の爪部を落ち込ませて前記差し込み片の抜け止めを行う係合孔と、
を備えることを特徴とするヘルメットの内装体掛け具。
【請求項２】
上記１対のブラケット部または／及び上記差し込み片を上記ヘルメット本体の内周面に対応した曲面形状に形成したことを特徴とする請求項１記載のヘルメットの内装体掛け具。
【請求項３】
上記差し込み片のヘルメット装着者の頭部と当接する内面を、該頭部形状に近似する曲面で形成したことを特徴とする請求項１または２記載のヘルメットの内装体掛け具。
【請求項４】
ヘルメット本体の内側にハンモック等の内装体を取り付けるヘルメットの内装体掛け具において、
前記ヘルメット本体の縁部付近内面に、互いに距離を隔て、かつ互いに向かい合う側に差し込み溝を設けて前記ヘルメット本体の縁側から奥側に向けて形成された１対のブラケット部と、
前記ブラケット部間に配設される先端部と前記内装体を取り付けた基端部と前記先端部の左右両側に突設させて形成された１対の弾性係止爪部材とを有し、前記１対の弾性係止爪部材を内側へ撓ませて前記１対のブラケット部の差し込み溝に前記ヘルメット本体の縁側から奥側に向けて差し込み可能な差し込み片と、
前記差し込み溝内の底面に設けられ、該差し込み溝の所定位置まで差し込まれた前記弾性係止爪部材の爪部を落ち込ませて前記差し込み片の抜け止めを行う係合孔と、
前記差し込み片の基端部両側に前記差し込み溝の幅よりも大きく外側に突出して設けられた誤挿入防止片と、
を備えることを特徴とするヘルメットの内装体掛け具。
【請求項５】
上記１対のブラケット部または／及び上記差し込み片を上記ヘルメット本体の内周面に対応した曲面形状に形成したことを特徴とする請求項１記載のヘルメットの内装体掛け具。
【請求項６】
上記差し込み片のヘルメット装着者の頭部と当接する内面を、該頭部形状に近似する曲面で形成したことを特徴とする請求項４または５記載のヘルメットの内装体掛け具。
【発明の詳細な説明】
【技術分野】
【０００１】
本発明はヘルメットの内装体掛け具に関し、特にヘルメットの内側に着用者の頭部を衝撃から守るハンモック等の内装体を取り付けるヘルメットの内装体掛け具に関するものである。
【背景技術】
【０００２】
従来、ヘルメットにおいて、ヘルメット本体の内側に着用者の頭部を衝撃から守るハンモック等の内装体を取り付けることが知られている（例えば、特許文献１参照）。
【０００３】
特許文献１の図１及び図２には、ヘルメット本体の縁部付近内側に、弾性的に外側へ撓むことができる掛止部材を設け、上記内装体の先端部が取り付けられた差し込み片を上記掛止部材に差し込み、掛止部材の係止爪に該差し込み片の掛止部を掛け止めして取り付ける構造が示されている。
【０００４】
また、特許文献１の図３及び図４には、ヘルメット本体に取付孔をあけ、該取付孔にヘルメット本体の外側から取付鋲を挿入固定し、該ヘルメット本体の内側に突き出した該取付鋲の先端部に上記内装体側の係合孔を掛け止めして取り付ける構造が示されている。
【特許文献１】特開２００１−２６２４２５号公報（図１〜図４）。
【発明の開示】
【発明が解決しようとする課題】
【０００５】
しかしながら、特許文献１の図１及び図２に示される内装体の掛け止め構造は、取り付け時及び取り外し時における操作に困難性があるという問題があった。また、差し込み片を掛止部材に差し込む際、掛止部材を弱い力で撓ませて差し込みできる構造にしたものでは、装着して衝撃を受けたときに反動で掛止部材が外れやすいことから、該掛止部材を撓ますのに必要な力を強くする必要があり、取り付け・取り外し時に大きな力を要するという問題点もあった。
【０００６】
一方、特許文献１の図３及び図４に示される内装体の掛け止め構造は、係合孔に取付鋲の先端部を差し込む際、弱い力で差し込みできるようにした構造では、装着して衝撃を受けたときに反動で取付鋲の先端部が外れやすいことから、取付鋲を差し込むのに必要な力を強くする必要があり、取り付け・取り外し時に大きな力を要するという問題点があった。
【０００７】
そこで、ヘルメット本体に対する内装体の取り付け・取り外し方がわかりやすく、また着脱操作を小さな力で簡便に実行できるとともに、ヘルメット装着時における衝撃に対し、ヘルメットの内装体が不用意に外れないようにしたヘルメットの内装体掛け具を提供するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、ヘルメット本体の内側にハンモック等の内装体を取り付けるヘルメットの内装体掛け具において、前記ヘルメット本体の縁部付近内面に、互いに距離を隔て、かつ互いに向かい合う側に差し込み溝を設けて前記ヘルメット本体の縁側から奥側に向けて形成された１対のブラケット部と、前記ブラケット部間に配設される先端部と前記内装体を取り付けた基端部と前記先端部の左右両側に突設させて形成された１対の弾性係止爪部材とを有し、前記１対の弾性係止爪部材を内側へ撓ませて前記１対のブラケット部の差し込み溝に前記ヘルメット本体の縁側から奥側に向けて差し込み可能な差し込み片と、前記差し込み溝内の底面に設けられ、該差し込み溝の所定位置まで差し込まれた前記弾性係止爪部材の爪部を落ち込ませて前記差し込み片の抜け止めを行う係合孔と、を備えるヘルメットの内装体掛け具を提供する。
【０００９】
この構成によれば、差し込み片の先端部左右両側に設けられている弾性係止爪部材を内側に撓ませ、該弾性係止爪部材をブラケット部の差し込み溝内にヘルメット本体の縁側から奥側に向けて所定位置まで差し込んで行くと、該所定位置で該弾性係止爪部材の爪部が該弾性係止爪部材の撓み復帰力で係合孔内に落ち込んで自動的に掛け止めされ、差し込み片とブラケット部が相互に連結されてヘルメット本体に内装体を取り付けることができる。
【００１０】
他方、弾性係止爪部材を内側に撓ませると該弾性係止爪部材の爪部が係合孔から外れ、さらに差し込み片を奥側から縁側に持ち上げて差し込み溝から引き抜くと該差し込み片がブラケット部から外れて、該差し込み片をヘルメット本体から内装体と共に取り外すことができる。
【００１１】
請求項２記載の発明は、請求項１において、上記１対のブラケット部または／及び上記差し込み片を上記ヘルメット本体の内周面に対応した曲面形状に形成したヘルメットの内装体掛け具を提供する。
【００１２】
この構成によれば、１対のブラケット部または／及び上記差し込み片をヘルメット本体の内周曲面に対応した曲面とすることにより、ヘルメット本体内容積を大きく確保できる。
【００１３】
請求項３記載の発明は、請求項１または２において、上記差し込み片のヘルメット装着者の頭部と当接する内面を、該頭部形状に近似する曲面で形成したヘルメットの内装体掛け具を提供する。
【００１４】
この構成によれば、ヘルメット装着者の頭部と当接する差し込み片の内面を頭部形状に近似する曲面で形成することにより、ヘルメットを装着した時に差し込み片が頭部にフィットする。
【００１５】
請求項４記載の発明は、ヘルメット本体の内側にハンモック等の内装体を取り付けるヘルメットの内装体掛け具において、前記ヘルメット本体の縁部付近内面に、互いに距離を隔て、かつ互いに向かい合う側に差し込み溝を設けて前記ヘルメット本体の縁側から奥側に向けて形成された１対のブラケット部と、前記ブラケット部間に配設される先端部と前記内装体を取り付けた基端部と前記先端部の左右両側に突設させて形成された１対の弾性係止爪部材とを有し、前記１対の弾性係止爪部材を内側へ撓ませて前記１対のブラケット部の差し込み溝に前記ヘルメット本体の縁側から奥側に向けて差し込み可能な差し込み片と、前記差し込み溝内の底面に設けられ、該差し込み溝の所定位置まで差し込まれた前記弾性係止爪部材の爪部を落ち込ませて前記差し込み片の抜け止めを行う係合孔と、前記差し込み片の基端部両側に前記差し込み溝の幅よりも大きく外側に突出して設けられた誤挿入防止片と、を備えるヘルメットの内装体掛け具を提供する。
【００１６】
この構成によれば、差し込み片の先端部左右両側に設けられている弾性係止爪部材を内側に撓ませ、該弾性係止爪部材をブラケット部の差し込み溝内にヘルメット本体の縁側から奥側に向けて所定位置まで差し込んで行くと、該所定位置で該弾性係止爪部材の爪部が該弾性係止爪部材の撓み復帰力で係合孔内に落ち込んで自動的に掛け止めされ、差し込み片とブラケット部が相互に連結されてヘルメット本体に内装体を取り付けることができる。
【００１７】
他方、弾性係止爪部材を内側に撓ませると該弾性係止爪部材の爪部が係合孔から外れ、さらに差し込み片を奥側から縁側に持ち上げて差し込み溝から引き抜くと該差し込み片がブラケット部から外れて、該差し込み片わヘルメット本体から内装体と共に取り外すことができる。
【００１８】
また、前記差し込み片をブラケット部の差し込み溝に差し込むとき、差し込み片の基端部が該差し込み片の先端部よりも先に差し込まれようとしたとき、該差し込み片の誤挿入防止片が差し込み溝の挿入口に突き当たって差し込みを阻む。
【００１９】
請求項５記載の発明は、請求項４において、上記１対のブラケット部または／及び上記差し込み片における上記ヘルメット本体の内側を向いた各面を、前記ヘルメット本体の内周曲面とほぼ同じ曲面で形成したヘルメットの内装体掛け具を提供する。
【００２０】
この構成によれば、１対のブラケット部または／及び上記差し込み片をヘルメット本体の内周曲面に対応した曲面とすることにより、ヘルメット本体内容積を大きく確保できる。
【００２１】
請求項６記載の発明は、請求項４または５において、上記差し込み片のヘルメット装着者の頭部と当接する内面を、該頭部形状に近似する曲面で形成したヘルメットの内装体掛け具を提供する。
【００２２】
この構成によれば、ヘルメット装着者の頭部と当接する差し込み片の内面を頭部形状に近似する曲面で形成することにより、ヘルメットを装着した時に差し込み片が頭部にフィットする。
【発明の効果】
【００２３】
請求項１記載の発明は、差し込み片の弾性係止爪部材を内側に撓ませて該弾性係止爪部材をブラケット部の差し込み溝に所定位置まで差し込むと、該弾性係止爪部材の爪部が係合孔内に該弾性係止爪部材の撓み復帰力で落ち込んで自動的に掛け止めされ、差し込み片と掛け止めブラケットが相互に連結されて内装体をヘルメット本体に確実に取り付けることができる。
【００２４】
また、弾性係止爪部材を撓ませない限り、該爪部と係合孔との間の係合は外れないので、装着時に衝撃を受けても反動等で簡単に外れることはなく、信頼性が向上する。
【００２５】
反対に、取り外すときは、弾性係止爪部材を内側へ撓ませて係合孔内から爪部を逃がし、さらに差し込み片を奥側から縁側に持ち上げて差し込み溝から引き抜くと該差し込み片と共に内装体をヘルメット本体から簡単に取り外すことができる。
【００２６】
したがって、取り付け・取り外し操作が極めて簡便であり、ヘルメットの信頼性が向上する。
【００２７】
請求項２記載の発明は、ヘルメット本体の内容積を大きく確保することができるので、従来のヘルメット本体の形状よりも小さくすることができ、請求項１記載の発明の効果に加えて、ヘルメットの小型・軽量化が可能になる効果が期待できる。
【００２８】
請求項３記載の発明は、ヘルメット装着時に差し込み片が頭部にフィットし、したがってヘルメットに外衝が負荷されても人頭に痛みを感じさせることはないので、請求項１または２記載の発明の効果に加えて、装着感が向上する効果が期待できる。
【００２９】
請求項４記載の発明は、差し込み片の弾性係止爪部材を内側に撓ませて該弾性係止爪部材をブラケット部の差し込み溝に所定位置まで差し込むと、該弾性係止爪部材の爪部が係合孔内に該弾性係止爪部材の撓み復帰力で落ち込んで自動的に掛け止めされ、差し込み片と掛け止めブラケットが相互に連結されてヘルメット本体に確実に取り付けることができる。
【００３０】
また、弾性係止爪部材を撓ませない限り、該爪部と係合孔との間の係合は外れないので、装着時に衝撃を受けても反動等で簡単に外れることはなく、信頼性も高まる。
【００３１】
さらに、差し込み片をブラケット部の差し込み溝に差し込むとき、差し込み片の基端部が該差し込み片の先端部よりも先に差し込まれようとした場合、該差し込み片の誤挿入防止片が差し込み溝の挿入口に突き当たって差し込まれるのを阻止し、差し込み片が差し込み溝に不完全な状態で挿入されて取り付けられるのを防止するので、さらに信頼性が向上する。
【００３２】
反対に、取り外すときは、弾性係止爪部材を内側へ撓ませて係合孔内から爪部を逃がし、さらに差し込み片を奥側から縁側に持ち上げて差し込み溝から引き抜くと該差し込み片と共に内装体をヘルメット本体から簡単に取り外すことができる。
【００３３】
したがって、取り付け・取り外し操作が極めて簡便で、しかもヘルメットの信頼性が向上する。
【００３４】
請求項５記載の発明は、ヘルメット本体の内容積を大きく確保することができるので、従来のヘルメット本体の形状よりも小さくすることができ、請求項４記載の発明の効果に加えて、ヘルメットの小型・軽量化が可能になる効果が期待できる。
【００３５】
請求項６記載の発明は、ヘルメット装着時に差し込み片が頭部にフィットし、したがってヘルメットに外衝が負荷されても人頭に痛みを感じさせることはないので、請求項４または５記載の発明の効果に加えて、装着感が向上する効果が期待できる。
【発明を実施するための最良の形態】
【００３６】
ヘルメット本体に対する内装体の取り付け・取り外し方がわかりやすく、また着脱操作を小さな力で簡便に実行できるとともに、ヘルメット装着時における衝撃に対し、ヘルメットの内装体が不用意に外れない構造にしたヘルメットの内装体掛け具を提供するという目的を達成するために、ヘルメット本体の内側にハンモック等の内装体を取り付けるヘルメットの内装体掛け具において、前記ヘルメット本体の縁部付近内面に、互いに距離を隔て、かつ互いに向かい合う側に差し込み溝を設けて前記ヘルメット本体の縁側から奥側に向けて形成された１対のブラケット部と、前記ブラケット部間に配設される先端部と前記内装体を取り付けた基端部と前記先端部の左右両側に突設させて形成された１対の弾性係止爪部材とを有し、前記１対の弾性係止爪部材を内側へ撓ませて前記１対のブラケット部の差し込み溝に前記ヘルメット本体の縁側から奥側に向けて差し込み可能な差し込み片と、前記差し込み溝内の底面に設けられ、該差し込み溝の所定位置まで差し込まれた前記弾性係止爪部材の爪部を落ち込ませて前記差し込み片の抜け止めを行う係合孔と、を備えることにより実現した。
【実施例】
【００３７】
以下、本発明のヘルメットの内装体掛け具について、好適な実施例をあげて説明する。図１は本発明の第１実施例に係るヘルメットの内面構造を示す平面図、図２は同上ヘルメットに設けた本発明の第１実施例に係る内装体掛け具の使用状態を示す要部斜視図である。
【００３８】
図１及び図２において、ヘルメット１は、ヘルメット本体２と、ハンモック３と、図示しないヘッドバンド及びあご紐等により構成されている。なお、本発明において、上記ハンモック３、ヘッドバンド及びあご紐は従来公知のいずれでよい。
【００３９】
前記ヘルメット本体２の内側周縁部２ａの左右二箇所の位置には、それぞれ内装体掛け具４，４，４，４が取り付けられている。各内装体掛け具４，４，４，４は、図２から明らかのように、ヘルメット本体２の縁部付近内面となる内側周縁部２ａにヘルメット本体２と一体に形成された固定側の掛け止めブラケット５と、該掛け止めブラケット５に確実、かつ、安定して着脱可能に取り付けられる取り外し側の差し込み片６とで構成されている。
【００４０】
図３〜図５は、前記内装体掛け具４，４，４，４の詳細図である。前記掛け止めブラケット５は、図２〜図５及び図６に示すように、ヘルメット本体２の垂直方向（縁側から奥側に向かう方向）に延びる１対のブラケット部７，７で構成されている。
【００４１】
前記各ブラケット部７，７は、互いに一定の距離を隔てて平行に対峙して配置されており、この間に差し込み片６の先端部６ａを配置できるようになっている。また、該ブラケット部７，７の内側、すなわち相互に向かい合う側には、差し込み溝８がヘルメット本体２の垂直方向に延びて形成されている。
【００４２】
前記差し込み溝８の一端側はヘルメット本体２の開口側（縁側）に向かって開放され、他端側（奥側）はストッパー部９によって一部が閉じられている。さらに、差し込み溝８の底面８ａには係合孔１０が形成されている。
【００４３】
一方、前記差し込み片６は、図２〜図５及び図７に示すように、ブラケット部７，７間に係合されて取り付けられる先端部６ａと、天井シート１１と差し込み片６との間を連結しているハンモック３を取り付ける取付孔１２を設けた基端部６ｂと、該先端部６ａと該基端部６ｂとの間を連結している連結部分６ｃとを一体に形成してなる。
【００４４】
また、前記連結部分６ｃは、頭部形状に近似する曲面となるように、ヘルメット本体２の縁側から奥側へ向かうに従って徐々に内側へ突出する曲面で形成してある。この曲面は、ヘルメットを装着した状態では、差し込み片６が頭部にフィットし、外衝による負荷がヘルメットに及んだときでも人頭に痛みを感じさせないように作用する。そして、このように連結部分６ｃに上記曲面を形成することにより基端部６ｂと先端部６ａとの間に段差が作られ、基端部６ｂは先端部６ａに対してヘルメット本体２の内側に突出した構成を成している。なお、該基端部６ｂがヘルメット本体２の内側に対する突出量は、差し込み片６の先端部６ａをブラケット部７，７の差し込み溝８，８に差し込む時に、該差し込み片６の基端部６ｂが差し込み動作の邪魔にならない量である。
【００４５】
また、該先端部６ａの左右両側には、弾性係止爪部材１３，１３と爪部１４，１４が一体に形成されている。該弾性係止爪部材１３，１３は、該先端部６ａの側面との間に隙間１５を設けて、先端部６ａの下端部分から外側上方に向かって突設した状態で形成されている。さらに、該弾性係止爪部材１３，１３の上端部につまみ部１６，１６が一体に設けられているとともに、該弾性係止爪部材１３，１３の外側面に上記爪部１４，１４を突設させて一体に形成している。該爪部１４，１４は、下側から上側に進むに従って徐々に外側へ突出し、その上端に係止爪面１４ａを設けてある。
【００４６】
なお、図４に示すように、前記先端部６ａの左右方向の幅Ｓ１はブラケット部７，７が互いに隔てられている内側距離Ｓ２よりも僅かに小さく、左右１対の弾性係止爪部材１３，１３の外側幅Ｓ３は差し込み溝８，８の底面８ａ，８ａ間の距離Ｓ４よりも小さく、爪部１４，１４の外側最大幅Ｓ５は差し込み溝８，８の底面８ａ，８ａ間の距離Ｓ４よりも大きく設定されている。また、弾性係止爪部材１３，１３の下端部から爪部１４，１４の係止爪面１４ａまでの距離Ｓ６は、ストッパー部９の内面から係合孔１０の上部係止面１０ａまでの距離Ｓ７よりも僅かに小さく設定してある。さらに、つまみ部１６，１６は、差し込み片６の先端部６ａがブラケット部７，７間に取り付けられた状態で、ブラケット部７，７の一端部から外側に突出して配置されている。  
【００４７】
上記第１実施例は以上のように構成されているので、内装体であるハンモック３をヘルメット本体２に掛け止めるには、図３〜図５に示すように、ハンモック３の先端部が取付孔１２に取り付けられている差し込み片６を、ヘルメット本体２の内側に設けられているブラケット部７，７の差し込み溝８，８にヘルメット本体２の縁側から奥側に向けて差し込む。このとき、爪部１４，１４は、差し込み動作の邪魔にならないように、弾性係止爪部材１３，１３のつまみ部１６，１６を内側につまんで該弾性係止爪部材１３，１３を弾性的に撓ませて爪部１４，１４を差し込み溝８，８間内に逃がした状態にする。なお、爪部１４はつまみ部１６，１６を内側につまんで該弾性係止爪部材１３，１３を撓ませなくても、該弾性係止爪部材１３，１３を差し込んで行くと、爪部１４の斜面がブラケット部７，７の端面に衝突し、該斜面の作用で弾性係止爪部材１３，１３が内側に撓まされて逃げることができる。しかして、差し込み片６が差し込み溝８，８に完全に差し込まれると、図４に示すように、弾性係止爪部材１３，１３の基端側がストッパー部９，９の内面に当接して、ハンモック３をヘルメット本体２に掛け止めるとともに、弾性係止爪部材１３，１３の弾性復帰力により、爪部１４がブラケット部７，７の係合孔１０内に落ち込む状態で入り込み、該爪部１４の係止爪面１４ａが該係合孔１０の上部係止面１０ａに当接し、差し込み片６の先端部６ａが掛け止めブラケット５(ブラケット部７，７)から抜け出して外れるのを防止する。
【００４８】
逆に、差し込み片６をヘルメット本体１のブラケット５から外すには、弾性係止爪部材１３，１３のつまみ部１６，１６を内側につまみ、該弾性係止爪部材１３，１３を弾性的に撓ませて爪部１４，１４を係合孔１０，１０内から逃がし、さらにヘルメット本体２の奥側から縁側に向けて持ち上げて差し込み片６を差し込み溝８，８から引き抜く。
【００４９】
したがって、本第１実施例におけるヘルメットの内装体掛け具４によれば、差し込み片６の弾性係止爪部材１３，１３を内側に撓ませて爪部１４，１４を内側に変位させて逃がし、該差し込み片６の弾性係止爪部材１３，１３を差し込み溝８，８の所定位置(ストッパー部９と当接した位置)まで差し込めば、該弾性係止爪部材１３，１３の撓み復帰力によって爪部１４，１４が係合孔１０，１０内に自動的に嵌合して掛け止めされる。そして、この掛け止めは、該弾性係止爪部材１３，１３を撓ませない限り、該爪部１４，１４と係合孔１０，１０との間の係合が外れることはないので、装着時に衝撃を受けても反動等で簡単に外れることはなく、ヘルメットの信頼性が向上する。
【００５０】
反対に、取り外すときは、弾性係止爪部材１３，１３を内側へ撓ませて係合孔１０，１０内から爪部１４，１４を逃がすとともに、差し込み片６を差し込み溝８，８から引き抜くと内装体をヘルメット本体２から簡単に取り外すことができる。すなわち、本第１実施例の構造では、取り付け・取り外し操作が簡便であり、かつ、ハンモック１１のヘルメット本体２に対する取り付けも安定し、外れにくくしてヘルメットの信頼性が向上する。
【００５１】
なお、本第１実施例の構造では、図３に示すように、掛け止めブラケット５及び差し込み片６におけるヘルメット本体２の内側を向いた各面を、図３に示すように、ヘルメット本体２の水平方向における内周曲面Ｒ１とほぼ同じ曲面となるように形成している。これにより、ヘルメット本体２の内容積が大きく確保でき、ヘルメット本体２の小型・軽量化が可能になる。
【００５２】
次に、本発明の第２実施例に係るヘルメットの内装体掛け具について、図８〜図１０を参照して説明する。第２の実施例における内装体掛け具の構成は、図３〜図７に示した第１実施例の構造における差し込み片６に誤挿入防止片２５を加えたものであり、他の構成は図３〜図７と同一であるから、同一の構成部分は同一符号を付して重複説明を省略する。  
【００５３】
図８〜図１０において、内装体掛け具２４は、固定側の掛け止めブラケット５と、該掛け止めブラケット５に確実、かつ、安定して着脱可能に取り付けられる取り外し側の差し込み片２６とで構成されている。
【００５４】
前記差し込み片２６は、図１１にも示しているように、基端部６ｂの左右両側に外側へ突設して上記誤挿入防止片２５，２５が形成されている。そして、図９に示すように、左右の誤挿入防止片２５，２５の外側最大幅Ｓ８は、差し込み溝８，８の底面８ａ，８ａ間の距離Ｓ４よりも十分大きく設定されている。
【００５５】
この第２の実施例のように構成された内装体掛け具２４では、ハンモック３の先端部が取付孔１２に取り付けられている差し込み片２６を、ヘルメット本体２の内側に設けられているブラケット部７，７の差し込み溝８，８に差し込むとき、誤って基端部６ｂ側を差し込もうとすると、該差し込み片２６の誤挿入防止片２５，２５が差し込み溝８，８の挿入口に突き当たって差し込みを阻止する。したがって、差し込み片２６がブラケット７，７の差し込み溝８，８に誤って不完全な状態で挿入されて取り付けられるのを確実に防止することができる。
【００５６】
また、この第２実施例の構造では、第１実施例の構造の場合と同様に、掛け止めブラケット５及び差し込み片２６におけるヘルメット本体２の内側を向いた各面を、ヘルメット本体２の内周曲面とほぼ同じ曲面となるように形成している。これにより、ヘルメット本体２の内容積が大きく確保でき、ヘルメット本体２の小型・軽量化が可能になる。
【００５７】
なお、本発明は、本発明の精神を逸脱しない限り種々の改変を為すことができ、そして、本発明が該改変されたものに及ぶことは当然である。
【図面の簡単な説明】
【００５８】
【図１】本発明の内装体掛け具を適用したヘルメットの内面構造を示す平面図。
【図２】同上ヘルメットに設けた内装体掛け具の使用状態を示す要部斜視図。
【図３】本発明の第１実施例に係る内装体掛け具の平面図。
【図４】同上第１実施例に係る内装体掛け具の断面図。
【図５】同上第１実施例に係る内装体掛け具の側面図。
【図６】同上第１実施例の内装体掛け具における掛け止めブラケットの斜視図。
【図７】同上第１実施例の内装体掛け具における差し込み片の斜視図。
【図８】本発明の第２実施例に係る内装体掛け具の平面図。
【図９】同上第２実施例に係る内装体掛け具の断面図。
【図１０】同上第２実施例に係る内装体掛け具の側面図。
【図１１】同上第２実施例の内装体掛け具における差し込み片の斜視図。
【符号の説明】
【００５９】
１      ヘルメット
２      ヘルメット本体
２ａ    内側周縁部
３      ハンモック（内装体）
４      内装体掛け具
５      掛け止めブラケット
６      差し込み片
６ａ    先端部
６ｂ    基端部
６ｃ    連結部分  ７      ブラケット部
８      差し込み溝
８ａ    底面
９      ストッパー部
１０    係合孔
１３    弾性係止爪部材
１４    爪部
１４ａ  係止爪面
２４    内装体掛け具
２５    誤挿入防止片
２６    差し込み片
【図１】
2009068151.tif 000003
【図２】
2009068151.tif 000004
【図３】
2009068151.tif 000005
【図４】
2009068151.tif 000006
【図５】
2009068151.tif 000007
【図６】
2009068151.tif 000008
【図７】
2009068151.tif 000009
【図８】
2009068151.tif 000010
【図９】
2009068151.tif 000011
【図１０】
2009068151.tif 000012
【図１１】
2009068151.tif 000013